(57)【要約】【課題】操作面に形成された突出部が筐体側に接触することによる破損を防止する。【解決手段】電子機器１は、電子機器本体１に対する位置を変更可能な表示部２０を有し、角度検出スイッチ１８は電子機器本体に対する表示部の位置を検知する。表示部には操作面に対するタッチ操作を検出可能なタッチパネル２６が備えられ、システム制御回路１２は突出制御回路１４によって操作面の少なくとも一部の形状を突出形状と非突出形状とを含む複数の形状のいずれかに変更する。システム制御回路は角度検知スイッチによる検出結果に基づいて操作面の少なくとも一部の形状変更を制御する。【選択図】図４
2018180813.tif 000002
【特許請求の範囲】
【請求項１】
電子機器の一部である筐体部に対する位置を変更可能な、操作面を有する操作部と、
前記筐体部に対する前記操作部の位置を検知する位置検知手段と、
前記操作面に対するタッチ操作を検出可能なタッチ検出手段と、
前記操作面の少なくとも一部の形状を、突出形状と非突出形状とを含む複数の形状のいずれかに変更することが可能な形状変更手段と、
前記位置検知手段による検出結果に基づいて、前記形状変更手段による前記操作面の少なくとも一部の形状変更を制御する制御手段と、
を有することを特徴とする電子機器。
【請求項２】
前記制御手段は、前記位置検知手段で、前記操作部の前記筐体部に対する位置が、第１の位置から前記第１の位置よりも近い第２の位置になったことが検知されたことに応じて、前記形状変更手段が前記操作面の少なくとも一部の形状を突出状態から非突出状態に変更するように制御することを特徴とする請求項１に記載の電子機器。
【請求項３】
前記制御手段は、前記位置検知手段で、前記操作部の前記筐体部に対する位置が、前記第２の位置から前記第２の位置よりも近い第３の位置になったことが検知されたことに応じて、前記タッチ検出手段におけるタッチ操作の検出動作を停止するように制御することを特徴とする請求項２に記載の電子機器。
【請求項４】
前記制御手段は、前記位置検知手段で、前記操作部の前記筐体部に対する位置が、第２の位置から前記第２の位置よりも遠い第１の位置になったことが検知されたことに応じて、前記形状変更手段が前記操作面の少なくとも一部の形状を非突出状態から突出状態に変更するように制御することを特徴とする請求項１又は２に記載の電子機器。
【請求項５】
前記操作部に配置され、前記操作面を表示面とする表示手段をさらに有することを特徴とする請求項１乃至４のいずれか１項に記載の電子機器。
【請求項６】
前記制御手段は、前記位置検知手段で、前記操作部の前記筐体部に対する位置が、前記第２の位置から前記第２の位置よりも近い第４の位置になったことが検知されたことに応じて、前記表示手段を非表示とするように制御することを特徴とする請求項５に記載の電子機器。
【請求項７】
前記第３の位置と前記第４の位置は同一の位置であることを特徴とする請求項６に記載の電子機器。
【請求項８】
前記操作部は、連結部を介して前記筐体部に対して回動可能であり、
前記位置検知手段は前記筐体部に対する前記操作部の回動位置を検知することを特徴とする請求項１乃至７のいずれか１項に記載の電子機器。
【請求項９】
前記制御手段は、前記位置検知手段で、前記操作部の前記筐体部に対する位置が前記第１の位置よりも遠い第５の位置から前記第１の位置になったことが検知されたことに応じて、前記形状変更手段が前記操作面の第１の領域の形状を突出状態から非突出状態に変更するように制御し、
前記位置検知手段で、前記操作部の前記筐体部に対する位置が前記第１の位置から前記第２の位置になったことを検知されたことに応じて、前記形状変更手段が前記操作面の前記第１の領域よりも前記連結部から遠い第２の領域の形状を突出状態から非突出状態に変更するように制御することを特徴とする請求項８に記載の電子機器。
【請求項１０】
前記制御手段は、前記位置検知手段で検知された前記操作部の前記筐体部に対する位置に応じて前記操作面の少なくとも一部の形状を突出状態とする際、前記操作部の前記筐体部に対する位置に基づいて前記形状変更手段を制御して前記突出状態における突出量を変化させることを特徴とする請求項１乃至９のいずれか１項に記載の電子機器。
【請求項１１】
筐体部と、当該筐体部に対する位置を変更可能な操作面を有する操作部とを備える電子機器の制御方法であって、
前記筐体部に対する前記操作部の位置を検知する位置検知ステップと、
前記操作面に対するタッチ操作を検出するタッチ検出ステップと、
前記操作面の少なくとも一部の形状を、突出形状と非突出形状とを含む複数の形状のいずれかに変更する形状変更ステップと、
前記位置検知ステップによる検出結果に基づいて、前記形状変更ステップによる前記操作面の少なくとも一部の形状変更を制御する制御ステップと、
を有することを特徴とする制御方法。
【請求項１２】
コンピュータを、請求項１乃至１０のいずれか１項に記載された電子機器の各手段として機能させるためのプログラム。
【請求項１３】
コンピュータを、請求項１乃至１０のいずれか１項に記載された電子機器の各手段として機能させるためのプログラムを格納したコンピュータが読み取り可能な記憶媒体。
【発明の詳細な説明】
【技術分野】
【０００１】
本発明は、電子機器、その制御方法、およびプログラム、並びに記憶媒体に関し、特に、操作面に突出部が形成される操作部を有する電子機器に関する。
【背景技術】
【０００２】
一般に、電子機器において表示部にタッチパネルを備えるものが知られている。このような電子機器では、例えば、表示部に表示されたアイコンを指先などでタッチ操作することによって当該アイコンに応じた指示が電子機器に与えられる。
【０００３】
さらに、電子機器において表示面の所定の位置に表示された図を指先などで触れると、種々の情報の入力又はメニューの選択などを行うようにしたものがある。また、タッチパネルにおいて、視覚のみに頼ることなくタッチパネルにおける操作箇所を触覚で確認可能な突出部を形成するようにしたものがある。
【０００４】
例えば、タッチパネルを備える表示部において、表示面に小区画に分割された複数の突出部を形成して、当該突出部の突出量および形状を変化させるようにしたものがある（特許文献１参照）。これによって、特許文献１においては、ユーザは突出部のタッチ操作によってアイコンを操作する感覚を得ることができる。
【０００５】
一方、電子機器本体に対して可動自在なタッチ操作部を備える電子機器が知られており、このような電子機器として、例えば、パソコン、タブレット端末、携帯電話機、およびデジタルカメラがある。タッチ操作部は、ディスプレイを兼ねた所謂タッチパネルや、ディスプレイを兼ねない所謂タッチパッド、デジタイザなどの操作部を含む。
【先行技術文献】
【特許文献】
【０００６】
【特許文献１】特開２０００−６６７８２号公報
【発明の概要】
【発明が解決しようとする課題】
【０００７】
ところが、上述の特許文献１に記載の表示部においては、タッチパネルの表面に形成された突出部に不用意に接触するか又は突出部を押し下げてしまうと、突出部の突出状態によっては突出部又は突出部に接触したものに傷をつけてしまう可能性がある。
【０００８】
特に、操作部が電子機器の筐体（電子機器の一部）に対して可動自在である場合、突出部が形成された操作面と電子機器の筐体とを対向させて操作部を動かすと、突出部の突出状態によっては突出部が電子機器の筐体に接触し、操作部側の突出部や筐体側などを破損してしまう恐れがある。
【０００９】
そこで、本発明の目的は、操作部が電子機器の一部の筐体に対して可動自在である場合、操作面に形成された突出部や筐体側などが破損されることを防止することのできる電子機器、その制御方法、およびプログラム、並びに記憶媒体を提供することにある。
【課題を解決するための手段】
【００１０】
上記の目的を達成するため、本発明による電子機器は、筐体部に対する位置を変更可能な、操作面を有する操作部と、前記筐体部に対する前記操作部の位置を検知する位置検知手段と、前記操作面に対するタッチ操作を検出可能なタッチ検出手段と、前記操作面の少なくとも一部の形状を、突出形状と非突出形状とを含む複数の形状のいずれかに変更することが可能な形状変更手段と、前記位置検知手段による検出結果に基づいて、前記形状変更手段による前記操作面の少なくとも一部の形状変更を制御する制御手段と、を有することを特徴とする。
【発明の効果】
【００１１】
本発明によれば、操作面に形成された突出部が筐体側に接触することによる破損を防止することができる。
【図面の簡単な説明】
【００１２】
【図１】本発明の第１の実施形態による電子機器の一例についてその構成を示すブロック図である。
【図２】図１に示す電子機器において電子機器本体と表示部との関係を示す図である。
【図３】図１に示す電子機器において電子機器本体に対して表示部を開く際の突出部形成処理の一例を示すフローチャートである。
【図４】図１に示す電子機器において電子機器本体に対して表示部を開く状態を説明するための図である。
【図５】図１に示す電子機器において電子機器本体に対して表示部を閉じる際の突出部形成処理の一例を示すフローチャートである。
【図６Ａ】本発明の第２の実施形態による電子機器において電子機器本体に対して表示部を開く際の突出部形成処理の一例を示すフローチャートである（その１）。
【図６Ｂ】本発明の第２の実施形態による電子機器において電子機器本体に対して表示部を開く際の突出部形成処理の一例を示すフローチャートである（その２）。
【図７】本発明の第２の実施形態による電子機器において電子機器本体に対して表示部を開く状態を説明するための図である。
【図８Ａ】本発明の第２の実施形態による電子機器において電子機器本体に対して表示部を閉じる際の突出部形成処理の一例を示すフローチャートである（その１）。
【図８Ｂ】本発明の第２の実施形態による電子機器において電子機器本体に対して表示部を閉じる際の突出部形成処理の一例を示すフローチャートである（その２）。
【発明を実施するための形態】
【００１３】
以下に、本発明の実施の形態による電子機器の一例について図面を参照して説明する。
【００１４】
［第１の実施形態］
図１は、本発明の第１の実施形態による電子機器の一例についてその構成を示すブロック図である。なお、ここでは、電子機器は、例えば、パソコン、タブレット端末、携帯電話機、又はデジタルカメラであり、表示部が電子機器本体に対して可動自在である。
【００１５】
図示の電子機器１は、電子機器本体（本体部、第１の筐体）１０と、電子機器本体１０に対して回動可能な表示部（操作部、第２の筐体）２０とを有している。図示の例では、表示部２０は回転軸部（連結部）３０によって電子機器本体１０に対して回動可能に支持され、電子機器本体１０に対する位置が変更可能である。
【００１６】
電子機器本体１０には、システム制御回路１２が備えられており、システム制御回路１２はプログラム格納部（例えば、ＲＯＭ）１３に格納されたプログラムをワークメモリ（例えば、ＲＡＭ）１５に展開して、当該プログラムに応じて電子機器を制御する。
【００１７】
突出制御回路１４は、システム制御回路１２の制御下で突出部形成部２４を制御する。操作取得部１６は、表示部２０の表示面に配置されたタッチパネル２６に対するタッチ操作を取得する。例えば、操作取得部１６は、システム制御回路１２の制御下で、タッチパネル２６におけるタッチ操作に基づいてその操作位置を検出して、当該操作位置をシステム制御回路１２に送る。
【００１８】
画像制御回路１７は、画像表示部２８に画像を表示させる際の処理を行う。例えば、画像制御回路１７は、システム制御回路１２から送られた画像データについて所定の変換処理を行って画像として画像表示部２８に表示する。なお、システム制御回路１２は画像データを取得するが、デジタルカメラであれば、図示しない撮像部で得られた画像データがシステム制御回路１２に送られることになる。
【００１９】
角度検出スイッチ１８は、電子機器本体１０に対して表示部２０を回動する際、表示部２０の回転角度（回動位置）を得て、当該回転角度に基づいて電子機器本体１０に対する表示部２０の位置を検出（検知）する（位置検知）。そして、当該表示部２０の位置（検出結果）はシステム制御回路１２に送られる。
【００２０】
前述のように、表示部２０は電子機器本体１０に対して回動可能である。そして、表示部２０は突出部形成部２４、タッチパネル２６、および画像表示部２８を有している。保護層２２は、後述するように突出部形成部２４によって表示面（操作面）に形成された突出部に追従するため伸縮可能であって、突出部を保護するためのものである。
【００２１】
突出部形成部２４は、突出制御回路１４の制御下で表示部２０において視認可能な突出部を形成する。タッチパネル２６は、ユーザによるタッチ操作を検出可能であり、タッチ操作に応じて電子機器１の操作をする際に用いられる。タッチパネル２６はタッチ操作を検出すると（タッチ検出すると）、操作取得部１６に当該タッチ操作をユーザ入力情報として送る。前述のように、画像表示部２８には、画像データに応じた画像が表示される。
【００２２】
図２は、図１に示す電子機器において電子機器本体と表示部との関係を示す図である。
【００２３】
前述のように、表示部２０は回転軸部３０によって電子機器本体１０に回動可能に支持されている。そして、表示部２０の表示面（つまり、画像表示部２８の表示面）は回転軸部３０の近傍から外側に向って、表示領域Ａ〜Ｃの３つの表示領域に分割されている。
【００２４】
図３は、図１に示す電子機器において電子機器本体に対して表示部を開く際の突出部形成処理の一例を示すフローチャートである。なお、図示のフローチャートに係る処理は、システム制御回路１２がプログラム格納部１３に格納されたプログラムをワークメモリ１５に展開して実行することによって行われる。
【００２５】
また、図４は、図１に示す電子機器において電子機器本体に対して表示部を開く状態を説明するための図であり、図４（ａ）〜図４（ｅ）は表示部を段階的に開く状態を示す図である。
【００２６】
図２〜図４を参照して、いま、表示部２０を図４（ａ）に示す状態（回転角度＝０度）から徐々に開くものとする。Ｓ３０１では、システム制御回路１２は角度検出スイッチ１８によって表示部２０の回転角度を得て、当該回転角度が所定の角度θｄを超えているか否かを判定する。この角度θｄは０度よりも大きい角度である。そして、回転角度≦θｄの場合には、システム制御回路１２は待機する。一方、回転角度＞θｄの場合には、Ｓ３０２に進む。
【００２７】
Ｓ３０２では、システム制御回路１２は、操作取得部１６を制御して、タッチパネル２６からユーザ入力情報の取得を開始する（タッチ機能ＯＮ）。さらに、システム制御回路１２は画像制御回路１７を制御して、画像表示部２８に画像を表示する（画像表示ＯＮ）。Ｓ３０２においては、例えば、電子機器本体１０に対する表示部２０の状態は図４（ｂ）に示す状態である。
【００２８】
Ｓ３０３では、システム制御回路１２は、表示部２０の回転角度が角度θｄ以下であるか否かを判定する。回転角度≦θｄの場合には、Ｓ３０４に進む。一方、回転角度＞θｄの場合には、Ｓ３０５に進む。
【００２９】
Ｓ３０４では、システム制御回路１２はタッチパネル２６からのユーザ入力情報取得を停止する（タッチ機能ＯＦＦ）。つまり、システム制御回路１２はタッチパネル２６におけるタッチ操作の検出動作を停止する。さらに、システム制御回路１２は画像表示部２８への画像の表示を停止する（画像表示ＯＦＦ）。つまり、システム制御回路１２は画像表示部２８を非表示とする。なお、ここでは、タッチ機能ＯＦＦおよび画像表示ＯＦＦを同一の角度（つまり、角度閾値）で行うようにしたが、互いに異なる角度閾値で行うようにしてもよい。
【００３０】
回転角度≦θｄとなると、電子機器本体１０と表示部２０との距離が近いので、表示部２０を閉じ方向に回動させると、タッチパネル２６が電子機器本体１０に接触することがある。この結果、ユーザが意図しないユーザ入力情報が取得される可能性がある。よって、回転角度≦θｄにおいては、システム制御回路１２はタッチ機能ＯＦＦとしてこのような事態を防止する。
【００３１】
さらには、回転角度≦θｄにおいては、画像表示部２８に表示される画像が見づらいので、システム制御回路１２は画像表示を停止する。これによって、消費電力を低減することができる。Ｓ３０４の処理の後、システム制御回路１２はＳ３０１の処理に戻る。
【００３２】
Ｓ３０５では、システム制御回路１２は、表示部２０の回転角度が角度θｄよりも大きい角度θｃを超えているか否かを判定する。回転角度≦θｃの場合には、Ｓ３０３に戻る。一方、回転角度＞θｃの場合には、Ｓ３０６に進む。
【００３３】
Ｓ３０６では、システム制御回路１２は突出制御回路１４によって突出部形成部２４を制御して、表示部２０における表示領域Ｃに所定の突出量でかつ所定の形状の突出部４０１を形成する。つまり、ここでは、操作面の少なくとも一部の形状を突出形状と非突出形状とを含む複数の形状のいずれかに形状変更することになる。Ｓ３０６においては、例えば、電子機器本体１０に対する表示部２０の状態は図４（ｃ）に示す状態であり、図示のように、表示領域Ｃに突出部４０１が形成される。
【００３４】
なお、角度θｃは、表示部２０が当該角度θｃから勢いよく閉じ方向に回動された場合であっても、表示部２０が電子機器本体１０に接触する前に表示領域Ｃに形成された突出部４０１を消去することが可能な角度である。
【００３５】
Ｓ３０７では、システム制御回路１２は、表示部２０の回転角度が角度θｃ以下であるか否かを判定する。回転角度≦θｃの場合には、Ｓ３０８に進み、回転角度＞θｃの場合には、Ｓ３０９に進む。
【００３６】
Ｓ３０８では、システム制御回路１２は突出制御回路１４によって突出部形成部２４を制御して、表示領域Ｃの突出部４０１を消去する。つまり、システム制御回路１２は操作面の少なくとも一部の形状を突出状態から非突出状態に変更する。そして、システム制御回路１２はＳ３０３の処理に戻る。
【００３７】
Ｓ３０９では、システム制御回路１２は、表示部２０の回転角度が角度θｃより大きい角度である角度θｂを超えるか否かを判定する。回転角度≦θｂの場合には、システム制御回路１２はＳ３０７の処理に戻る。一方、回転角度＞θｂの場合には、Ｓ３１０に進む。
【００３８】
Ｓ３１０では、システム制御回路１２は突出制御回路１４によって突出部形成部２４を制御して、表示部２０における表示領域Ｂに所定の突出量でかつ所定の形状の突出部４０２を形成する。Ｓ３１０においては、例えば、電子機器本体１０に対する表示部２０の状態は図４（ｄ）に示す状態であり、図示のように、表示領域Ｂに突出部４０２が形成される。
【００３９】
なお、角度θｂは、表示部２０が当該角度θｂから勢いよく閉じ方向に回動された場合であっても、表示部２０が電子機器本体１０に接触する前に表示領域Ｂに形成された突出部４０２を消去することが可能な角度である。
【００４０】
Ｓ３１１では、システム制御回路１２は、表示部２０の回転角度が角度θｂ以下であるか否かを判定する。回転角度≦θｂの場合には、Ｓ３１２に進み、回転角度＞θｂの場合には、Ｓ３１３に進む。
【００４１】
Ｓ３１２では、システム制御回路１２は突出制御回路１４によって突出部形成部２４を制御して、表示領域Ｂの突出部４０２を消去する。そして、システム制御回路１２はＳ３０９の処理に戻る。
【００４２】
Ｓ３１３では、システム制御回路１２は、表示部２０の回転角度が角度θｂより大きい角度である角度θａを超えるか否かを判定する。回転角度≦θａの場合には、システム制御回路１２はＳ３１１の処理に戻る。一方、回転角度＞θａの場合には、Ｓ３１４に進む。
【００４３】
Ｓ３１４では、システム制御回路１２は突出制御回路１４によって突出部形成部２４を制御して、表示部２０における表示領域Ａに所定の突出量でかつ所定の形状の突出部４０３を形成する。そして、システム制御回路１２は突出部形成処理を終了する。Ｓ３１４においては、例えば、電子機器本体１０に対する表示部２０の状態は図４（ｅ）に示す状態であり、図示のように、表示領域Ａに突出部４０３が形成される。
【００４４】
なお、角度θａは、表示部２０が当該角度θａから勢いよく閉じ方向に回動された場合であっても、表示部２０が電子機器本体１０に接触する前に表示領域Ａに形成された突出部４０３を消去することが可能な角度である。
【００４５】
図５は、図１に示す電子機器において電子機器本体に対して表示部を閉じる際の突出部形成処理の一例を示すフローチャートである。なお、図示のフローチャートに係る処理は、システム制御回路１２がプログラム格納部１３に格納されたプログラムをワークメモリ１５に展開して実行することによって行われる。図５の処理は、基本的には、図３のＳ３１４まで行った後に行われる処理である。
【００４６】
Ｓ５０１では、システム制御回路１２は角度検出スイッチ１８によって表示部２０の回転角度を得て、当該回転角度が所定の角度θａ以下であるか否かを判定する。そして、回転角度＞θａの場合には、システム制御回路１２は待機する。一方、回転角度≦θａの場合には、Ｓ５０２に進む。
【００４７】
Ｓ５０２では、システム制御回路１２は突出制御回路１４によって突出部形成部２４を制御して、表示領域Ａの突出部４０３を消去する。
【００４８】
Ｓ５０３では、システム制御回路１２は、表示部２０の回転角度が角度θａを超えるか否かを判定する。回転角度＞θａの場合には、Ｓ５０４に進む。一方、回転角度≦θａの場合には、Ｓ５０５に進む。
【００４９】
Ｓ５０４では、システム制御回路１２は突出制御回路１４によって突出部形成部２４を制御して、再度表示部２０の表示領域Ａに所定の突出量でかつ所定の形状の突出部４０３を形成する。そして、システム制御回路１２はＳ５０１の処理に戻る。
【００５０】
Ｓ５０５では、システム制御回路１２は、表示部２０の回転角度が角度θｂ以下であるか否かを判定する。回転角度＞角度θｂの場合には、システム制御回路１２はＳ５０３の処理に戻る。一方、回転角度≦角度θｂの場合には、Ｓ５０６に進む。
【００５１】
Ｓ５０６では、システム制御回路１２は突出制御回路１４によって突出部形成部２４を制御して、表示領域Ｂの突出部を消去する。
【００５２】
Ｓ５０７では、システム制御回路１２は、表示部２０の回転角度が角度θｂを超えるか否かを判定する。回転角度＞θｂの場合には、Ｓ５０８に進み、回転角度≦θｂの場合には、Ｓ５０９に進む。
【００５３】
Ｓ５０８では、システム制御回路１２は突出制御回路１４によって突出部形成部２４を制御して、再度表示部２０の表示領域Ｂに所定の突出量でかつ所定の形状の突出部４０２を形成する。そして、システム制御回路１２はＳ５０３の処理に戻る。
【００５４】
Ｓ５０９では、システム制御回路１２は、表示部２０の回転角度が角度θｃ以下であるか否かを判定する。回転角度＞角度θｃの場合には、Ｓ５０７に戻り、回転角度≦角度θｃの場合には、Ｓ５１０に進む。
【００５５】
Ｓ５１０では、システム制御回路１２は突出制御回路１４によって突出部形成部２４を制御して、表示領域Ｃの突出部を消去する。
【００５６】
Ｓ５１１では、システム制御回路１２は、表示部２０の回転角度が角度θｃを超えるか否かを判定する。回転角度＞θｃの場合には、Ｓ５１２に進み、回転角度≦θｃの場合には、Ｓ５１３に進む。
【００５７】
Ｓ５１２では、システム制御回路１２は突出制御回路１４によって突出部形成部２４を制御して、再度表示部２０の表示領域Ｃに所定の突出量でかつ所定の形状の突出部４０１を形成する。そして、システム制御回路１２はＳ５０９の処理に進む。
【００５８】
Ｓ５１３では、システム制御回路１２は、表示部２０の回転角度が角度θｄ以下であるか否かを判定する。回転角度＞θｄの場合には、Ｓ５１１に戻り、回転角度≦θｄの場合には、Ｓ５１４に進む。
【００５９】
Ｓ５１４では、システム制御回路１２はタッチ機能ＯＦＦおよび画像表示ＯＦＦを行う。そして、システム制御回路１２は突出部形成処理を終了する。
【００６０】
このように、本発明の第１の実施形態では、表示部の回転角度に応じて突出部の形成位置を制御する。そして、回転軸部に近い領域においては表示部２０の開度が大きくなった場合に突出部を形成するようにしたので、突出部が電子機器本体に接触して破損してしまうことを防止することができる。
【００６１】
なお、第１の実施形態では、表示領域毎に突出部を形成する角度として角度θａ、θｂ、θｃ、およびθｄを用いたが、これに限るものではなく、順序を入れ替えてもよく、さらには同一の角度としてもよい。
【００６２】
［第２の実施形態］
続いて、本発明の第２の実施形態による電子機器の一例について説明する。なお、第２の実施形態による電子機器の構成は図１および図２に示す電子機器と同様である。
【００６３】
図６Ａおよび図６Ｂは、本発明の第２の実施形態による電子機器において電子機器本体に対して表示部を開く際の突出部形成処理の一例を示すフローチャートである。なお、図示のフローチャートに係る処理は、システム制御回路１２がプログラム格納部１３に格納されたプログラムをワークメモリ１５に展開して実行することによって行われる。
【００６４】
また、図７は、本発明の第２の実施形態による電子機器において電子機器本体に対して表示部を開く状態を説明するための図であり、図７（ａ）〜図７（ｈ）は表示部を段階的に開く状態を示す図である。
【００６５】
図６Ａ、図６Ｂ、および図７を参照して、いま、表示部２０を図７（ａ）に示す状態（回転角度＝０度）から徐々に開くものとする。突出部形成処理を開始すると、システム制御回路１２はＳ６０１〜Ｓ６０３の処理を行う。Ｓ６０１〜Ｓ６０４の処理は、図３に示すＳ３０１〜Ｓ３０４の処理と同様の処理である。なお、Ｓ６０２においては、表示部２０の電子機器本体１０に対する状態は図７（ｂ）に示す状態である。
【００６６】
Ｓ６０３において、回転角度＞θｄの場合には、Ｓ６０５に進む。Ｓ６０５において、システム制御回路１２は、表示部２０の回転角度が角度θｄより大きい角度θｃ１を超えるか否かを判定する。回転角度≦θｃ１の場合には、システム制御回路１２はＳ６０３の処理に戻る。一方、回転角度＞θｃ１の場合には、Ｓ６０６に進む。
【００６７】
Ｓ６０６では、システム制御回路１２は突出制御回路１４によって突出部形成部２４を制御して、表示部２０における表示領域Ｃに第１の突出量（第１の高さ）でかつ所定の形状の突出部７０１を形成する。Ｓ６０６においては、例えば、電子機器本体１０に対する表示部２０の状態は図７（ｃ）に示す状態であり、図示のように、表示領域Ｃに突出部７０１が形成される。
【００６８】
なお、角度θｃ１は、表示部２０が当該角度θｃ１から勢いよく閉じ方向に回動された場合であっても、表示部２０が電子機器本体１０に接触する前に表示領域Ｃに形成された突出部７０１を消去することが可能な角度である。
【００６９】
Ｓ６０７では、システム制御回路１２は、表示部２０の回転角度が角度θｃ１以下であるか否かを判定する。回転角度≦θｃ１の場合には、Ｓ６０８に進み、回転角度＞θｃ１の場合には、Ｓ６０９に進む。
【００７０】
Ｓ６０８では、システム制御回路１２は突出制御回路１４によって突出部形成部２４を制御して、表示領域Ｃの突出部７０１を消去する。そして、システム制御回路１２はＳ６０３の処理に戻る。
【００７１】
Ｓ３０９では、システム制御回路１２は、表示部２０の回転角度が角度θｃ２より大きい角度θｃ２を超えるか否かを判定する。回転角度≦θｃ２の場合には、システム制御回路１２はＳ６０７の処理に戻る。一方、回転角度＞θｃ２の場合には、Ｓ６１０に進む。
【００７２】
Ｓ６１０では、システム制御回路１２は突出制御回路１４によって突出部形成部２４を制御して、表示部２０における表示領域Ｃに第２の突出量（第２の高さ）でかつ所定の形状の突出部７０２を形成する。Ｓ６１０においては、例えば、電子機器本体１０に対する表示部２０の状態は図７（ｄ）に示す状態であり、図示のように、表示領域Ｃに突出部７０２が形成される。
【００７３】
なお、角度θｃ２は、表示部２０が当該角度θｃ２から勢いよく閉じ方向に回動された場合であっても、表示部２０が電子機器本体１０に接触する前に表示領域Ｃに形成された突出部７０２を消去することが可能な角度である。また、第２の突出量は第１の突出量よりも大きい。
【００７４】
Ｓ６１１では、システム制御回路１２は、表示部２０の回転角度が角度θｃ２以下であるか否かを判定する。回転角度≦θｃ２の場合には、Ｓ６１２に進み、回転角度＞θｃ２の場合には、Ｓ６１３に進む。
【００７５】
Ｓ６１２では、システム制御回路１２は突出制御回路１４によって突出部形成部２４を制御して、表示領域Ｃに形成された突出部の突出量を第１の突出量（第１の高さ）に変更する。
【００７６】
Ｓ６１３では、システム制御回路１２は、表示部２０の回転角度が角度θｃ２より大きい角度θｂ１を超えるか否かを判定する。回転角度≦θｂ１の場合には、システム制御回路１２はＳ６１１の処理に戻る。一方、回転角度＞θｂ１の場合には、Ｓ６１４に進む。
【００７７】
Ｓ６１４では、システム制御回路１２は突出制御回路１４によって突出部形成部２４を制御して、表示部２０における表示領域Ｂに第１の突出量でかつ所定の形状の突出部７０３を形成する。Ｓ６１４においては、例えば、電子機器本体１０に対する表示部２０の状態は図７（ｅ）に示す状態であり、図示のように、表示領域Ｂに突出部７０３が形成される。
【００７８】
なお、角度θｂ１は、表示部２０が当該角度θｂ１から勢いよく閉じ方向に回動された場合であっても、表示部２０が電子機器本体１０に接触する前に表示領域Ｂに形成された突出部７０３を消去することが可能な角度である。
【００７９】
Ｓ６１５では、システム制御回路１２は、表示部２０の回転角度が角度θｂ１以下であるか否かを判定する。回転角度≦θｂ１の場合には、Ｓ６１６に進み、回転角度＞θｂ１の場合には、Ｓ６１７に進む。
【００８０】
Ｓ６１６では、システム制御回路１２は突出制御回路１４によって突出部形成部２４を制御して、表示領域Ｂの突出部７０３を消去する。そして、システム制御回路１２はＳ６１１の処理に戻る。
【００８１】
Ｓ６１７では、システム制御回路１２は、表示部２０の回転角度が角度θｂ１より大きい角度θｂ２を超えるか否かを判定する。回転角度≦θｂ２の場合には、システム制御回路１２はＳ６１５の処理に戻る。一方、回転角度＞θｂ２の場合には、Ｓ６１８に進む。
【００８２】
Ｓ６１８では、システム制御回路１２は突出制御回路１４によって突出部形成部２４を制御して、表示部２０における表示領域Ｂに第２の突出量でかつ所定の形状の突出部７０４を形成する。Ｓ６１８においては、例えば、電子機器本体１０に対する表示部２０の状態は図７（ｆ）に示す状態であり、図示のように、表示領域Ｃに突出部７０４が形成される。
【００８３】
なお、角度θｂ２は、表示部２０が当該角度θｂ２から勢いよく閉じ方向に回動された場合であっても、表示部２０が電子機器本体１０に接触する前に表示領域Ｂに形成された突出部７０４を消去することが可能な角度である。
【００８４】
Ｓ６１９では、システム制御回路１２は、表示部２０の回転角度が角度θｂ２以下であるか否かを判定する。回転角度≦θｂ２の場合には、Ｓ６２０に進み、回転角度＞θｂ２の場合には、Ｓ６２１に進む。
【００８５】
Ｓ６２０では、システム制御回路１２は突出制御回路１４によって突出部形成部２４を制御して、表示領域Ｂに形成された突出部の突出量を第１の突出量に変更する。
【００８６】
Ｓ６２１では、システム制御回路１２は、表示部２０の回転角度が角度θｂ２より大きい角度θａ１を超えるか否かを判定する。回転角度≦θａ１の場合には、システム制御回路１２はＳ６１９の処理に戻る。一方、回転角度＞θａ１の場合には、Ｓ６２２に進む。
【００８７】
Ｓ６２２では、システム制御回路１２は突出制御回路１４によって突出部形成部２４を制御して、表示部２０における表示領域Ａに第１の突出量でかつ所定の形状の突出部７０５を形成する。Ｓ６２２においては、例えば、電子機器本体１０に対する表示部２０の状態は図７（ｇ）に示す状態であり、図示のように、表示領域Ａに突出部７０５が形成される。
【００８８】
なお、角度θａ１は、表示部２０が当該角度θａ１から勢いよく閉じ方向に回動された場合であっても、表示部２０が電子機器本体１０に接触する前に表示領域Ａに形成された突出部７０５を消去することが可能な角度である。
【００８９】
Ｓ６２３では、システム制御回路１２は、表示部２０の回転角度が角度θａ１以下であるか否かを判定する。回転角度≦θａ１の場合には、Ｓ６２４に進み、回転角度＞θａ１の場合には、Ｓ６２５に進む。
【００９０】
Ｓ６２４では、システム制御回路１２は突出制御回路１４によって突出部形成部２４を制御して、表示領域Ａの突出部７０５を消去する。そして、システム制御回路１２はＳ６１９の処理に戻る。
【００９１】
Ｓ６２５では、システム制御回路１２は、表示部２０の回転角度が角度θａ１より大きい角度θａ２を超えるか否かを判定する。回転角度≦θａ２の場合には、システム制御回路１２はＳ６２３の処理に戻る。一方、回転角度＞θａ２の場合には、Ｓ６２６に進む。
【００９２】
Ｓ６２６では、システム制御回路１２は突出制御回路１４によって突出部形成部２４を制御して、表示部２０における表示領域Ａに第２の突出量でかつ所定の形状の突出部７０６を形成する。Ｓ６２６においては、例えば、電子機器本体１０に対する表示部２０の状態は図７（ｈ）に示す状態であり、図示のように、表示領域Ｃに突出部７０６が形成される。
【００９３】
なお、角度θａ２は、表示部２０が当該角度θａ２から勢いよく閉じ方向に回動された場合であっても、表示部２０が電子機器本体１０に接触する前に表示領域Ａに形成された突出部７０６を消去することが可能な角度である。その後、システム制御回路１２は突出部形成処理を終了する。
【００９４】
図８Ａおよび図８Ｂは、本発明の第２の実施形態による電子機器において電子機器本体に対して表示部を閉じる際の突出部形成処理の一例を示すフローチャートである。なお、図示のフローチャートに係る処理は、システム制御回路１２がプログラム格納部１３に格納されたプログラムをワークメモリ１５に展開して実行することによって行われる。
【００９５】
Ｓ８０１では、システム制御回路１２は角度検出スイッチ１８によって表示部２０の回転角度を得て、当該回転角度が所定の角度θａ２以下であるか否かを判定する。そして、回転角度＞θａ２の場合には、システム制御回路１２は待機する。一方、回転角度≦θａ２の場合には、Ｓ８０２に進む。
【００９６】
Ｓ８０２では、システム制御回路１２は突出制御回路１４によって突出部形成部２４を制御して、表示領域Ａにおける突出部７０６の突出量を第１の突出量に変更する。つまり、システム制御回路１２は表示領域Ａに突出部７０５を形成することになる。
【００９７】
Ｓ８０３では、システム制御回路１２は、表示部２０の回転角度が角度θａ２を超えるか否かを判定する。回転角度＞θａ２の場合には、Ｓ８０４に進む。一方、回転角度≦θａ２の場合には、Ｓ８０５に進む。
【００９８】
Ｓ８０４では、システム制御回路１２は突出制御回路１４によって突出部形成部２４を制御して、表示部２０の表示領域Ａにおける突出部７０５の突出量を第２の突出量に変更する。つまり、システム制御回路１２は表示領域Ａに突出部７０６を形成することになる。そして、システム制御回路１２はＳ８０１の処理に戻る。
【００９９】
Ｓ８０５では、システム制御回路１２は、表示部２０の回転角度が角度θａ１以下であるか否かを判定する。回転角度＞角度θａ１の場合には、システム制御回路１２はＳ８０３の処理に戻る。一方、回転角度≦角度θａ１の場合には、Ｓ８０６に進む。
【０１００】
Ｓ８０６では、システム制御回路１２は突出制御回路１４によって突出部形成部２４を制御して、表示領域Ａの突出部を消去する。
【０１０１】
Ｓ８０７では、システム制御回路１２は、表示部２０の回転角度が角度θａ１を超えるか否かを判定する。回転角度＞θａ１の場合には、Ｓ８０８に進み、回転角度≦θａ１の場合には、Ｓ８０９に進む。
【０１０２】
Ｓ８０８では、システム制御回路１２は突出制御回路１４によって突出部形成部２４を制御して、表示領域Ａに第１の突出量でかつ所定の形状の突出部７０５を形成する。そして、システム制御回路１２はＳ８０３の処理に戻る。
【０１０３】
Ｓ８０９では、システム制御回路１２は表示部２０の回転角度が所定の角度θｂ２以下であるか否かを判定する。そして、回転角度＞θｂ２の場合には、システム制御回路１２はＳ８０７の処理に戻る。一方、回転角度≦θｂ２の場合には、Ｓ８１０に進む。
【０１０４】
Ｓ８１０では、システム制御回路１２は突出制御回路１４によって突出部形成部２４を制御して、表示領域Ｂにおける突出部７０４の突出量を第１の突出量に変更する。つまり、システム制御回路１２は表示領域Ｂに突出部７０３を形成することになる。
【０１０５】
Ｓ８１１では、システム制御回路１２は、表示部２０の回転角度が角度θｂ２を超えるか否かを判定する。回転角度＞θｂ２の場合には、Ｓ８１２に進む。一方、回転角度≦θｂ２の場合には、Ｓ８１３に進む。
【０１０６】
Ｓ８１２では、システム制御回路１２は突出制御回路１４によって突出部形成部２４を制御して、表示部２０の表示領域Ｂにおける突出部７０３の突出量を第２の突出量に変更する。つまり、システム制御回路１２は表示領域Ｂに突出部７０４を形成することになる。そして、システム制御回路１２はＳ８０７の処理に戻る。
【０１０７】
Ｓ８１３では、システム制御回路１２は、表示部２０の回転角度が角度θｂ１以下であるか否かを判定する。回転角度＞角度θｂ１の場合には、システム制御回路１２はＳ８１１の処理に戻る。一方、回転角度≦角度θｂ１の場合には、Ｓ８１４に進む。
【０１０８】
Ｓ８１４では、システム制御回路１２は突出制御回路１４によって突出部形成部２４を制御して、表示領域Ｂの突出部を消去する。
【０１０９】
Ｓ８１５では、システム制御回路１２は、表示部２０の回転角度が角度θｂ１を超えるか否かを判定する。回転角度＞θｂ１の場合には、Ｓ８１６に進み、回転角度≦θｂ１の場合には、Ｓ８１７に進む。
【０１１０】
Ｓ８１６では、システム制御回路１２は突出制御回路１４によって突出部形成部２４を制御して、表示領域Ｂに第１の突出量でかつ所定の形状の突出部７０３を形成する。そして、システム制御回路１２はＳ８１１の処理に戻る。
【０１１１】
Ｓ８１７では、システム制御回路１２は、表示部２０の回転角度が角度θｃ２を超えるか否かを判定する。回転角度＞θｃ２の場合には、Ｓ８１８に進む。一方、回転角度≦θｃ２の場合には、Ｓ８１５に戻る。
【０１１２】
Ｓ８１８では、システム制御回路１２は突出制御回路１４によって突出部形成部２４を制御して、表示部２０の表示領域Ｃにおける突出部７０２の突出量を第１の突出量に変更する。つまり、システム制御回路１２は表示領域Ｃに突出部７０１を形成することになる。
【０１１３】
Ｓ８１９では、システム制御回路１２は、表示部２０の回転角度が角度θｃ２を超えるか否かを判定する。回転角度＞θｃ２の場合には、Ｓ８２０に進み、回転角度≦θｃ２の場合には、Ｓ８２１に進む。
【０１１４】
Ｓ８２０では、システム制御回路１２は突出制御回路１４によって突出部形成部２４を制御して、表示領域Ｃにおける突出部７０１の突出量を第２の突出量に変更する。つまり、システム制御回路１２は表示領域Ｃに突出部７０２を形成することになる。そして、システム制御回路１２はＳ８１５の処理に戻る。
【０１１５】
Ｓ８２１では、システム制御回路１２は、表示部２０の回転角度が角度θｃ１以下であるか否かを判定する。回転角度＞角度θｃ１の場合には、システム制御回路１２はＳ８１９の処理に戻る。一方、回転角度≦角度θａ１の場合には、Ｓ８２２に進む。
【０１１６】
Ｓ８２２では、システム制御回路１２は突出制御回路１４によって突出部形成部２４を制御して、表示領域Ｃの突出部を消去する。
【０１１７】
Ｓ８２３では、システム制御回路１２は、表示部２０の回転角度が角度θｃ１を超えるか否かを判定する。回転角度＞θｃ１の場合には、Ｓ８２４に進み、回転角度≦θｃ１の場合には、Ｓ８２５に進む。
【０１１８】
Ｓ８２４では、システム制御回路１２は突出制御回路１４によって突出部形成部２４を制御して、表示領域Ｃにおける突出部７０２の突出量を第１の突出量に変更する。つまり、システム制御回路１２は表示領域Ｃに突出部７０１を形成することになる。そして、システム制御回路１２はＳ８１９の処理に戻る。
【０１１９】
Ｓ８２５では、システム制御回路１２は、表示部２０の回転角度が角度θｄ以下であるか否かを判定する。回転角度＞θｄの場合には、システム制御回路１２はＳ８２３の処理に戻る。回転角度≦θｄの場合には、Ｓ８２６に進む。
【０１２０】
Ｓ８２６では、システム制御回路１２はタッチ機能ＯＦＦおよび画像表示ＯＦＦを行う。そして、システム制御回路１２は突出部形成処理を終了する。
【０１２１】
このように、本発明の第２の実施形態では、表示部の回転角度に応じて突出部の形成位置およびその突出量を制御する。そして、表示部を開く際には突出量を段階的に大きくするようにしたので、突出部が電子機器本体に接触することを防止しつつ、表示部があまり開いていない状況においても突出部を操作することができる。
【０１２２】
なお、第２の実施形態では、表示領域毎に突出部を形成する角度として角度θａ２、θａ１、θｂ２、θｂ１、θｃ２、θｃ１、およびθｄを用いたが、これに限るものではなく、順序を入れ替えてもよく、さらには同一の角度としてもよい。さらに、ここでは、突出量を２段階で制御するようにしたが、突出量の段階をさらに増やすようにしてもよい。
【０１２３】
以上、本発明の好ましい２つの実施形態について説明したが、本発明はこれらの実施形態に限定されず、その要旨の範囲内で種々の変形及び変更が可能である。本実施形態では電子機器本体に対して表示部が可動な場合を示したが、これに限らず、表示部に対して電子機器本体が可動の場合も同様である。また、画面領域を３分割するとして説明したが、これに限らない。
【０１２４】
なお、システム制御回路が行うものとして説明した上述の各種制御は、１つのハードウェアが行ってもよいし、複数のハードウェアが処理を分担することで、装置全体の制御を行ってもよい。
【０１２５】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１２６】
また、上述した実施形態においては、本発明をデジタルカメラなどの電子機器に適用した場合を例にして説明したが、これはこの例に限定されない。操作面に突出状態と非突出状態を形成でき、当該操作面が電子機器の一部に対して開閉可能な電子機器であれば適用可能である。すなわち、本発明はパーソナルコンピュータやＰＤＡ、携帯電話端末や携帯型の画像ビューワ、プリンタ装置、デジタルフォトフレーム、音楽プレーヤー、ゲーム機、電子ブックリーダー、タブレット端末、スマートフォン、家電装置や車載装置などに適用可能である。例えば、本体側（操作部側）とディスプレイ筐体側が開閉可能なノートパソコンにおいて、本体側（操作部側）に備えられたタッチパッド（操作面、表示機能は有していなくて良い）において突出状態と非突出状態を形成できる場合、本発明を適用可能である。
【０１２７】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１２８】
１０  電子機器本体
１２  システム制御回路
１４  突出制御回路
１６  操作取得部
１７  画像制御回路
１８  角度検出スイッチ
２０  表示部
２４  突出部形成部
２６  タッチパネル
２８  画像表示部
【図１】
2018180813.tif 000003
【図２】
2018180813.tif 000004
【図３】
2018180813.tif 000005
【図４】
2018180813.tif 000006
【図５】
2018180813.tif 000007
【図６Ａ】
2018180813.tif 000008
【図６Ｂ】
2018180813.tif 000009
【図７】
2018180813.tif 000010
【図８Ａ】
2018180813.tif 000011
【図８Ｂ】
2018180813.tif 000012